(57)【要約】【課題】明環境と暗環境とでそれぞれ全く異なった審美的な魅力を発現することができる、光を利用した装飾器及び同装飾システムを提供する。【解決手段】無色透明板３に、遮光部と無色透明板部とを混在配置する遮光部４が備えられると共に、該無色透明板３の背後に光源５が備えられ、明環境下において、遮光部４のみによる第１の装飾形態が形成され、暗環境下において、前記光源５を点灯することにより、無色透明板部のみによる第２の装飾形態が形成されるようになされている。無色透明板３は、取付け面２に対し、板面を対向させるようにして所定の間隔をおいて取り付けられているとなおよい。【選択図】      図１
2005280223.tif 000002
【特許請求の範囲】
【請求項１】
無色透明板に、遮光部と無色透明板部とを混在配置する遮光部が備えられると共に、該無色透明板の背後に光源が備えられ、
明環境下において、遮光部のみによる第１の装飾形態が形成され、暗環境下において、前記光源を点灯することにより、無色透明板部のみによる第２の装飾形態が形成されるようになされていることを特徴とする光を利用した装飾器。
【請求項２】
請求項１に記載の装飾器の無色透明板が、取付け面に対し、板面を対向させるようにして所定の間隔をおいて取り付けられている光を利用した装飾システム。
【請求項３】
前記光源と無色透明板との間に無色透明板側への発光を遮る遮光手段が備えられ、光源が無色透明板とは反対の側に向けて発光し、取付け面で反射した間接光で前記第２の装飾形態が現出するようになされている請求項２に記載の光を利用した装飾システム。
【請求項４】
前記光源と無色透明板との間に無色透明板側への発光を遮る遮光手段が備えられ、光源の間接光で第２の装飾形態が形成されるようになされている請求項１に記載の光を利用した装飾器。
【発明の詳細な説明】
【技術分野】
【０００１】
本発明は、光を利用した装飾器及び同装飾システムに関する。
【背景技術】
【０００２】
従来より、光を利用した装飾技術は、無数に提案されている。
【発明の開示】
【発明が解決しようとする課題】
【０００３】
本発明は、かかる背景において、明環境と暗環境とでそれぞれ全く異なった審美的な魅力を発現することができる、光を利用した装飾器及び同装飾システムを提供することを課題とする。
【課題を解決するための手段】
【０００４】
上記の課題は、無色透明板に、遮光部と無色透明板部とを混在配置する遮光部が備えられると共に、該無色透明板の背後に光源が備えられ、
明環境下において、遮光部のみによる第１の装飾形態が形成され、暗環境下において、前記光源を点灯することにより、無色透明板部のみによる第２の装飾形態が形成されるようになされていることを特徴とする光を利用した装飾器によって解決される。
【０００５】
この装飾器では、第１装飾形態用の遮光部が無色透明板に備えられているので、明環境下では、遮光部のみが視認されて、無色透明板部は視認されず、遮光部のみによる純粋な第１の装飾形態が形成される。また、光源は無色透明板の背後に備えられているので、暗環境下では、第１装飾形態用の遮光部はその遮光作用によって視認されず、第２装飾形態用の無色透明板部を透過する光のみが視認され、その光のみによる純粋な第２装飾形態が形成される。これにより、明環境と暗環境とでそれぞれ全く異なったこれまでにない審美的な魅力を発現することができる。
【０００６】
また、上記の課題は、かかる装飾器の無色透明板が、取付け面に対し、板面を対向させるようにして所定の間隔をおいて取り付けられている光を利用した装飾システムによって解決される。
【０００７】
このシステムでは、第１装飾形態を構成する遮光部が無色透明板に備えられ、この無色透明板が取付け面との間に所定の間隔をおいて取り付けられているので、明環境下において、看る者に、第１装飾形態がまるで宙に浮いているような不思議で魅力的な印象を与えることができると共に、第２装飾形態のための光源の設置スペースを無色透明板の背後に自然に確保することができる。
【０００８】
このシステムにおいて、前記光源と無色透明板との間に無色透明板側への発光を遮る遮光手段が備えられ、光源が無色透明板とは反対の側に向けて発光し、取付け面で反射した間接光で前記第２の装飾形態が現出するようになされているとよい。また、上記の装飾器において、前記光源と無色透明板との間に無色透明板側への発光を遮る遮光手段が備えられ、光源の間接光で第２の装飾形態が現出するようになされているとよい。
【０００９】
これらの装飾器及び装飾システムでは、無色透明板の背後に光源を備えさせるなかで、光源と無色透明板との間に無色透明板側への発光を遮る遮光手段が備えられているので、明環境下において光源の存在を隠すことができる。しかも、光源の光は取付け面を照らし、第２装飾形態は、その反射光で形成されるので、取付け面と第２装飾形態との一体感をかもし出すことができる。
【発明の効果】
【００１０】
本発明は、以上のとおりのものであるから、明環境と暗環境とでそれぞれ全く異なった審美的な魅力を発現することができる。
【発明を実施するための最良の形態】
【００１１】
次に、本発明の実施最良形態を図面に基づいて説明する。
【００１２】
図１〜図３に示す実施形態において、１は装飾器であり、該装飾器１は、壁付け用のもので、図３に示すように、例えば、住宅等の建物の屋内において、電灯の点灯と消灯により明環境と暗環境とを形成できる廊下脇や階段脇の壁面２の目の高さに取り付けて装飾システムを構成する。
【００１３】
装飾器１において、３は無色透明板、４…は遮光部としてのタイル、５…は光源、６は遮光手段としての光源カバーであり、無色透明板３は、アクリル板やガラス板などからなって正面視縦長の方形状をしている。タイル４…はそれぞれ、窯業系などからなっていて、正面視正方形状をしており、図１に示すように、無色透明板３の正面側の面部の、幅方向の中央部を挟む両側の各領域部分において、背後が無色透明板部である目地を形成するようにして、縦横整列状態に貼り付けられている。
【００１４】
光源５…は、ＬＥＤなどからなっていて、無色透明板３の背後において、タイル４…の各群を避けた幅方向の中央部において、上下方向に延びるように備えられ、光源５…と無色透明板３との間に光源カバー６が介設され、光源５…は、カバー６に隠されて、無色透明板３の正面側から視認することができないようになっている。光源カバー６は、無色透明板３を透して見たとき、取付け側の壁面２にとけ込んで隠れてしまうような、壁面２と同質のものからなっているのもよい。なお、光源５…と光源カバー６とは無色透明板３の側に取り付けられてもよいし、壁面２側に取り付けられてもよい。
【００１５】
そして、上記の装飾器１における無色透明板３は、図１（ロ）に示すように、板面を壁面２に対向させ、スペーサー７…で壁面２との間に所定の間隔をおくようにして壁面２に取り付けられている。
【００１６】
上記装飾器１及び装飾システムでは、屋内の点灯時などの明環境下では、図２（イ）に示すように、タイル４…のみによる第１の装飾形態Ａが形成され、夜間屋内消灯時などの暗環境下では、光源５…の点灯により、図２（ロ）に示すように、上述したタイル４…間の目地で形成される光目地模様からなる第２の装飾形態Ｂが形成される。
【００１７】
このように、第１装飾形態Ａを形成するタイル４…は無色透明板３に取り付けられているので、明環境下では、図２（イ）に示すように、タイル４…のみが視認されて、第２装飾形態Ｂを構成する光目地模様模様は視認されず、タイル４…のみの純粋な第１の装飾形態Ａが形成される。また、光源５は無色透明板３の背後に備えられているので、暗環境下では、第１装飾形態用のタイル４…は視認されず、第２装飾形態Ｂ用の無色透明板部である目地模様部を透過する光のみが視認され、図２（ロ）に示すように、光目地模様のみによる純粋な第２装飾形態Ｂが形成される。これにより、明環境と暗環境とでそれぞれ全く異なったこれまでにない審美的な魅力を発現することができる。
【００１８】
そして、第１装飾形態Ａを構成するタイル４…は無色透明板３に取り付けられ、この無色透明板３が壁面２との間に所定の間隔をおいて壁面２に取り付けられているので、明環境下において、看る者に、第１装飾形態Ａがまるで宙に浮いているような不思議で魅力的な印象を与えることができ、第２装飾形態Ｂのための光源５の設置スペースを無色透明板３と壁面２との間に自然に確保することができる。
【００１９】
更に、光源５と無色透明板３との間に光源カバー６が備えられているので、明環境下において光源の存在を隠すことができ、しかも、暗環境では、光源５の光は壁面２を照らし、第２装飾形態はその反射光で形成されるので、壁面２と第２装飾形態Ｂとの一体感をかもし出すことができる。
【００２０】
以上に、本発明の実施形態を示したが、本発明はこれに限られるものではなく、発明思想を逸脱しない範囲で各種の変更が可能である。例えば、無色透明板の形態や、遮光部の種類、第１，第２の形態の内容等に制限はなく、好みに応じて自由に決められてよい。また、上記の実施形態では、第１装飾形態Ａを形成する遮光部が無色透明板に対して固定である場合を示しているが、遮光部の位置を使用者の好みに応じて変更することができるようになされていてもよい。
【図面の簡単な説明】
【００２１】
【図１】実施形態の装飾器を示すもので、図（イ）は正面図、図（ロ）は取付け状態の側面図である。
【図２】図（イ）は明環境下における第１装飾形態を示す正面図、図（ロ）は暗環境下における第２装飾形態を示す正面図である。
【図３】装飾器の設置環境の一例を示す正面図である。
【符号の説明】
【００２２】
１…装飾器
２…壁面（取付け面）
３…無色透明板
４…タイル（遮光部）
５…光源
６…光源カバー（遮光手段）
Ａ…第１装飾形態
Ｂ…第２装飾形態
【図１】
2005280223.tif 000003
【図２】
2005280223.tif 000004
【図３】
2005280223.tif 000005